(57)【要約】  常時消費電力を節減できる過電圧防止回路、その制御方法及びバッテリーパックが開示される。このために、本発明の実施形態による過電圧防止回路は、バッテリーの電圧を測定する電圧測定部、電圧測定部により測定されたバッテリー電圧値が既に設定された第１電圧値以上の場合に電源を供給する電源制御部、及び電源制御部から供給される電源の供給を受け、バッテリー電圧値が第１電圧値より高い既に設定された第２電圧値以上の場合にバッテリーの充電を遮断する遮断回路部を含むことを特徴とする。【選択図】  図１
2017536794.tif 000002
【特許請求の範囲】
【請求項１】
過電圧防止回路であって、
バッテリーの電圧を測定する電圧測定部、
前記電圧測定部により測定されたバッテリー電圧値が既に設定された第１電圧値以上の場合に電源を供給する電源制御部、及び
前記電源制御部から供給される電源の供給を受け、前記バッテリー電圧値が既に設定された第２電圧値以上の場合に、前記バッテリーの充電を遮断する遮断回路部を備えてなることを特徴とする、過電圧防止回路。
【請求項２】
前記第２電圧値が前記第１電圧値より高いか同じ値であることを特徴とする、請求項１に記載の過電圧防止回路。
【請求項３】
前記電圧測定部及び前記電源制御部が一体の電源回路部で構成されることを特徴とする、請求項１に記載の過電圧防止回路。
【請求項４】
前記電源回路部が前記バッテリー及び前記遮断回路部の間に連結されることを特徴とする、請求項３に記載の過電圧防止回路。
【請求項５】
前記遮断回路部は、前記バッテリー電圧値が前記第２電圧値以上であるか否かを判断する電圧比較器を備えてなることを特徴とする、請求項１に記載の過電圧防止回路。
【請求項６】
前記遮断回路部は、前記バッテリー電圧値が前記第１電圧値未満の場合には動作しないことを特徴とする、請求項１〜５の何れか一項に記載の過電圧防止回路。
【請求項７】
前記遮断回路部は、前記バッテリーの充電時に動作することを特徴とする、請求項１〜５の何れか一項に記載の過電圧防止回路。
【請求項８】
バッテリーパックであって、
バッテリー、
前記バッテリーの電圧を測定する電圧測定部、
前記電圧測定部により測定されたバッテリー電圧値が既に設定された第１電圧値以上の場合に電源を供給する電源制御部、及び
前記電源制御部から供給される電源の供給を受け、前記バッテリー電圧値が既に設定された第２電圧値以上の場合に、前記バッテリーの充電を遮断する遮断回路部を備えてなることを特徴とする、バッテリーパック。
【請求項９】
前記第２電圧値が前記第１電圧値より高いか同じ値であることを特徴とする、請求項８に記載のバッテリーパック。
【請求項１０】
前記電圧測定部及び前記電源制御部が一体の電源回路部で構成されることを特徴とする、請求項９に記載のバッテリーパック。
【請求項１１】
前記電源回路部が前記バッテリー及び前記遮断回路部の間に連結されることを特徴とする、請求項１０に記載のバッテリーパック。
【請求項１２】
前記遮断回路部は、前記バッテリー電圧値が前記第２電圧値以上であるか否かを判断する電圧比較器を備えてなることを特徴とする、請求項８に記載のバッテリーパック。
【請求項１３】
前記遮断回路部は、前記バッテリー電圧値が前記第１電圧値未満の場合には動作しないことを特徴とする、請求項８〜１２の何れか一項に記載のバッテリーパック。
【請求項１４】
前記遮断回路部は、前記バッテリーの充電時に動作することを特徴とする、請求項８〜１２の何れか一項に記載のバッテリーパック。
【請求項１５】
過電圧防止回路の制御方法であって、
バッテリーの電圧を測定するステップ、
前記測定ステップで測定された前記バッテリー電圧値が既に設定された第１電圧値以上であるか否かを判断するステップ、
前記バッテリー電圧値が前記第１電圧値以上の場合に遮断回路部に電源を供給するステップ、
前記バッテリー電圧値が既に設定された第２電圧値以上であるか否かを判断するステップ、及び
前記バッテリー電圧値が前記第２電圧値以上の場合に前記遮断回路部が前記バッテリーの充電を遮断するステップを含んでなることを特徴とする、過電圧防止回路の制御方法。
【請求項１６】
前記第２電圧値が前記第１電圧値より高いか同じ値であることを特徴とする、請求項１５に記載の過電圧防止回路の制御方法。
【請求項１７】
前記測定ステップ及び前記第１電圧値以上であるか否かを判断するステップは、一体に形成される電源回路部によって実行されることを特徴とする、請求項１５に記載の過電圧防止回路の制御方法。
【請求項１８】
前記電源回路部が前記バッテリー及び前記遮断回路部の間に連結され、前記測定ステップ及び前記第１電圧値以上であるか否かを判断するステップを実行することを特徴とする、請求項１７に記載の過電圧防止回路の制御方法。
【請求項１９】
前記第２電圧値以上であるか否かを判断するステップにおいて、
前記バッテリー電圧値が前記第２電圧値以上であるか否かの判断が電圧比較器を用いて実行されることを特徴とする、請求項１８に記載の過電圧防止回路の制御方法。
【請求項２０】
前記第２電圧値以上であるか否かを判断するステップ及び前記遮断ステップは、前記バッテリー電圧値が前記第１電圧値未満の場合には実行されないことを特徴とする、請求項１５〜１９の何れか一項に記載の過電圧防止回路の制御方法。
【請求項２１】
前記第２電圧値以上であるか否かを判断するステップ及び前記遮断ステップは、前記バッテリーの充電時に実行されることを特徴とする、請求項１５〜１９の何れか一項に記載の過電圧防止回路の制御方法。
【発明の詳細な説明】
【技術分野】
【０００１】
本出願は２０１５年０１月１２日付の韓国特許出願第１０−２０１５−０００４４３５号及び２０１５年１０月２９日付の韓国特許出願第１０−２０１５−０１５１３８８号に基づいた優先権の利益を主張し、該韓国特許出願の文献に開示された全ての内容は本明細書の一部として含まれる。
【０００２】
本発明は、過電圧防止回路、その制御方法及びバッテリーパックに関し、より具体的には、常時消費電力を節減することができる過電圧防止回路、その制御方法及びバッテリーパックに関する。
【背景技術】
【０００３】
製品群に応じた適用容易性が高く、高いエネルギー密度等の電気的特性を有する二次電池は、携帯用機器だけでなく、電気的駆動源により駆動する電気車両（Ｅｌｅｃｔｒｉｃ  Ｖｅｈｉｃｌｅ；ＥＶ）またはハイブリッド車両（Ｈｙｂｒｉｄ  Ｅｌｅｃｔｒｉｃ  Ｖｅｈｉｃｌｅ；ＨＥＶ）、電力貯蔵装置（Ｅｎｅｒｇｙ  Ｓｔｏｒａｇｅ  Ｓｙｓｔｅｍ）等に普遍的に応用されている。このような二次電池は、化石燃料の使用を画期的に減少できるという一次的な長所だけでなく、エネルギーの使用に応じた副産物が全く発生しないという点で環境への優しさ及びエネルギー効率性の向上のための新しいエネルギー源として注目されている。
【０００４】
このような二次電池は、正極及び負極集電体、セパレータ、活物質、電解液等を含んでおり、構成要素間の電気化学的反応により繰り返しの充放電が可能である。一例として広く用いられるリチウムポリマー二次電池の場合、約３．７Ｖ〜４．２Ｖの動作電圧を有する。よって、前記電気車両等に適用される高出力バッテリーパックを得るために複数の単位二次電池セル（ｃｅｌｌ）を直列に連結してバッテリーパックを構成する。
【０００５】
このような基本的な構造に加え、バッテリーパックは、充電時に過電圧充電を防止するために、バッテリーパックの電圧を測定して過電圧状況が発生すれば充電を遮断する過電圧防止回路をさらに含んで構成されることができる。しかし、充電を遮断するためには、持続的にバッテリーパックの電圧をセンシングしなければならないので遮断回路が常時に動作しなければならず、そのために消費電力が大きくなるしかない。さらに、バッテリーパックを用いない状況でも遮断回路が動作しているのでバッテリーパックの放電が早くなるという問題点がある現状である。
【発明の概要】
【発明が解決しようとする課題】
【０００６】
本発明の目的は、自身の消費電力を減少させた過電圧防止回路を提供することにある。
また、本発明は、過電圧防止回路の消費電力を減少させ、全体的なバッテリーパックの常時消費電力を節減させることを目的とする。
【課題を解決するための手段】
【０００７】
本発明は下記の構成を有する。
（１）バッテリーの電圧を測定する電圧測定部、前記電圧測定部により測定されたバッテリー電圧値が既に設定された第１電圧値以上の場合に電源を供給する電源制御部、及び前記電源制御部から供給される電源の供給を受け、前記バッテリー電圧値が既に設定された第２電圧値以上の場合に前記バッテリーの充電を遮断する遮断回路部を含む過電圧防止回路。
（２）前記第２電圧値は前記第１電圧値より高いか同じ値であることを特徴とする前記（１）に記載の過電圧防止回路。
（３）前記電圧測定部及び前記電源制御部は一体の電源回路部で構成される前記（１）に記載の過電圧防止回路。
（４）前記電源回路部は前記バッテリー及び前記遮断回路部の間に連結される前記（３）に記載の過電圧防止回路。
（５）前記遮断回路部は、前記バッテリー電圧値が前記第２電圧値以上であるか否かを判断する電圧比較器を含んで構成される前記（１）に記載の過電圧防止回路。
（６）前記遮断回路部は、前記バッテリー電圧値が前記第１電圧値未満の場合には動作しない前記（１）〜（５）の何れか一項に記載の過電圧防止回路。
（７）前記遮断回路部は前記バッテリーの充電時に動作する前記（１）〜（５）の何れか一項に記載の過電圧防止回路。
（８）バッテリー、前記バッテリーの電圧を測定する電圧測定部、前記電圧測定部により測定されたバッテリー電圧値が既に設定された第１電圧値以上の場合に電源を供給する電源制御部、及び前記電源制御部から供給される電源の供給を受け、前記バッテリー電圧値が既に設定された第２電圧値以上の場合に前記バッテリーの充電を遮断する遮断回路部を含むバッテリーパック。
（９）前記第２電圧値は前記第１電圧値より高いか同じ値であることを特徴とする前記（８）に記載のバッテリーパック。
（１０）前記電圧測定部及び前記電源制御部は一体の電源回路部で構成される前記（９）に記載のバッテリーパック。
（１１）前記電源回路部は前記バッテリー及び前記遮断回路部の間に連結される前記（１０）に記載のバッテリーパック。
（１２）前記遮断回路部は、前記バッテリー電圧値が前記第２電圧値以上であるか否かを判断する電圧比較器を含んで構成される前記（８）に記載のバッテリーパック。
（１３）前記遮断回路部は、前記バッテリー電圧値が前記第１電圧値未満の場合には動作しない前記（８）〜（１２）の何れか一項に記載のバッテリーパック。
（１４）前記遮断回路部は前記バッテリーの充電時に動作する前記（８）〜（１２）の何れか一項に記載のバッテリーパック。
（１５）バッテリーの電圧を測定するステップ、前記測定ステップで測定された前記バッテリー電圧値が既に設定された第１電圧値以上であるか否かを判断するステップ、前記バッテリー電圧値が前記第１電圧値以上の場合に遮断回路部に電源を供給するステップ、前記バッテリー電圧値が既に設定された第２電圧値以上であるか否かを判断するステップ、及び前記バッテリー電圧値が前記第２電圧値以上の場合に前記遮断回路部が前記バッテリーの充電を遮断するステップを含む過電圧防止回路の制御方法。
（１６）前記第２電圧値は前記第１電圧値より高いか同じ値であることを特徴とする前記（１５）に記載の過電圧防止回路の制御方法。
（１７）前記測定ステップ及び前記第１電圧値以上であるか否かを判断するステップは、一体に形成される電源回路部によって実行される前記（１５）に記載の過電圧防止回路の制御方法。
（１８）前記電源回路部は前記バッテリー及び前記遮断回路部の間に連結され、前記測定ステップ及び前記第１電圧値以上であるか否かを判断するステップを実行する前記（１７）に記載の過電圧防止回路の制御方法。
（１９）前記第２電圧値以上であるか否かを判断するステップにおいて、前記バッテリー電圧値が前記第２電圧値以上であるか否かを判断するのは電圧比較器を用いて判断する前記（１８）に記載の過電圧防止回路の制御方法。
（２０）前記第２電圧値以上であるか否かを判断するステップ及び前記遮断ステップは、前記バッテリー電圧値が前記第１電圧値未満の場合には実行されない前記（１５）〜（１９）の何れか一項に記載の過電圧防止回路の制御方法。
（２１）前記第２電圧値以上であるか否かを判断するステップ及び前記遮断ステップは、前記バッテリーの充電時に実行される前記（１５）〜（１９）の何れか一項に記載の過電圧防止回路の制御方法。
【発明の効果】
【０００８】
本発明の実施形態によれば、バッテリーの電圧が既に設定された電圧を超過しなければ電源回路部が遮断回路部に電源を供給しない。それにより、本発明は、バッテリーパックを用いない場合、電源回路部のみ動作するので消費電流を減少させることができる。
また、電圧測定部及び電源制御部が一体に構成されることができ、それにより、電圧測定部及び電源制御部が占める体積及び空間を節減することができる。
【０００９】
そして、本発明は、バッテリーの電圧が既に設定された電圧未満の場合には、電源回路部においてのみバッテリーの電圧をセンシングし、バッテリーの電圧が既に設定された電圧以上の場合には、より精密に遮断回路部を介してバッテリーの電圧をセンシングして、消費電流を減少させることができる。
【図面の簡単な説明】
【００１０】
【図１】本発明の実施形態による過電圧防止回路の回路図である。
【図２】本発明の実施形態による過電圧防止回路の電源回路部の構成を示すブロック図である。
【図３】バッテリーの充電グラフにおいてバッテリー電圧値に応じた電源回路部と遮断回路部の動作を説明するための図である。
【図４】本発明の実施形態による過電圧防止回路の制御方法を説明するためのフローチャートである。
【発明を実施するための形態】
【００１１】
本発明を添付図面を参照して詳細に説明すれば以下のとおりである。ここで、繰り返される説明、本発明の要旨を不要に濁す恐れのある公知機能及び構成に関する詳細な説明は省略することにする。本発明の実施形態は当業界で平均的な知識を有する者に本発明をより完全に説明するために提供されるものである。よって、図面での要素の形状及び大きさ等はより明確な説明のために誇張されることがある。
【００１２】
以下では、本発明の一実施形態による過電圧防止回路及びバッテリーパックの構造及び動作について説明する。
【００１３】
図１は、本発明の実施形態による過電圧防止回路の回路図である。図２は、本発明の実施形態による過電圧防止回路の電源回路部の構成を示すブロック図である。図３は、バッテリーの充電グラフにおいてバッテリー電圧値に応じた電源回路部と遮断回路部の動作を説明するための図である。
【００１４】
図１〜図３では本発明の実施形態による過電圧防止回路について説明しているが、本発明の一実施形態はバッテリー及び過電圧防止回路を含むバッテリーパックの形態で実現されることができる。
【００１５】
図１を参照すれば、本発明の実施形態による過電圧防止回路は電源回路部１００及び遮断回路部２００を含んで構成される。図１に示された過電圧防止回路は一実施形態によるものであり、その構成要素が図１に示された実施形態に限定されるものではなく、必要により、一部の構成要素が付加、変更または削除されてもよい。
【００１６】
電源回路部１００は、図２と共に参照すれば、電圧測定部１１０及び電源制御部１２０を含んで構成される。
電圧測定部１１０はバッテリー１０の電圧を測定する。この時、バッテリー１０は少なくとも一つのバッテリーセルからなることができる。
電源制御部１２０は、電圧測定部１１０により測定されたバッテリー電圧値が既に設定された第１電圧値以上であるか否かを判断する。そして、電源制御部１２０は、バッテリー電圧値が第１電圧値以上の場合、後述する遮断回路部２００に電源を供給する。
【００１７】
このような電圧測定部１１０及び電源制御部１２０は一体に構成されることができる。例えば、図１に示すように、電圧測定部１１０及び電源制御部１２０は一体の電源回路部１００として構成されることができる。また、電源回路部１００はバッテリー１０及び遮断回路部２００の間に連結されることができる。このように、本発明の一実施形態では、電圧測定部１１０及び電源制御部１２０が一体に構成されることができ、それにより、電圧測定部１１０及び電源制御部１２０が占める体積及び空間を節減することができる。このために、電圧測定部１１０及び電源制御部１２０は共通する部品やユニットを共有することができる。
【００１８】
遮断回路部２００は電源制御部１２０から電源の供給を受け、バッテリー電圧値が既に設定された第２電圧値以上であるか否かを判断する。ここで、前記第２電圧値は前記第１電圧値より高いか同じ値であってもよい。そして、遮断回路部２００は、バッテリー電圧値が第２電圧値以上の場合、バッテリー１０に対する充電を遮断する。このような遮断回路部２００は、バッテリー電圧値が第１電圧値未満の場合には動作しない。また、遮断回路部２００はバッテリー１０の充電時に動作する。
【００１９】
このような遮断回路部２００は電圧比較器２１０及び遮断部２２０を含んで構成されることができる。電圧比較器２１０はバッテリー電圧値が第２電圧値以上であるか否かをより精密に判断する。そして、遮断部２２０は、バッテリー電圧値が第２電圧値以上の場合、バッテリー１０と充電器２０との間を遮断する。このような遮断部２２０はＰＤＤ（Ｐｏｗｅｒ  Ｄｉｓｃｏｎｎｅｃｔ  Ｄｅｖｉｃｅ）で構成されることができる。
【００２０】
図３を共に参照すれば、バッテリーの充電グラフにおいて、バッテリー充電が開始されれば、時間が過ぎることによってバッテリーは第１電圧値を経て第２電圧値を経て最高充電電圧に達する。一実施形態において、バッテリーが最高充電電圧にまで達すれば、バッテリーが過熱する等バッテリーの寿命に良くない影響を及ぼすため、バッテリーを遮断するための第２電圧値はバッテリーの特性に応じてバッテリーの最高充電電圧の７０％〜９０％付近に形成されることができる。バッテリーの充電が開始されれば、バッテリー電圧値が第１電圧値未満の第１領域Ａでは、電源回路部１００のみが動作し、遮断回路部２００は動作しない。そして、バッテリー電圧値が第１電圧値以上第２電圧値未満の第２領域Ｂでは、電源回路部１００が遮断回路部２００に電源を供給し、遮断回路部２００はバッテリー１０の電圧を精密に測定する。また、バッテリー電圧値が第２電圧値以上の第３領域Ｃに達すれば、遮断回路部２００はバッテリー１０に対する充電を遮断する。
【００２１】
このように、本発明の実施形態によれば、バッテリーの電圧が既に設定された電圧を超過しなければ、電源回路部が遮断回路部に電源を供給しない。それにより、本発明は、バッテリーパックを用いない場合、電源回路部のみ動作するので消費電流を減少させることができる。
【００２２】
そして、本発明は、バッテリーの電圧が既に設定された電圧未満の場合には、電源回路部においてのみバッテリーの電圧をセンシングし、バッテリーの電圧が既に設定された電圧以上の場合には、より精密に遮断回路部を介してバッテリーの電圧をセンシングして、消費電流を減少させることができる。
【００２３】
以下では、本発明の実施形態による過電圧防止回路の制御方法について説明する。
図４は、本発明の実施形態による過電圧防止回路の制御方法を説明するためのフローチャートである。
図４を参照すれば、本発明の実施形態による過電圧防止回路の制御方法は、先ず、バッテリーの電圧を測定する（Ｓ１１０）。
そして、Ｓ１１０ステップで測定されたバッテリー電圧値が既に設定された第１電圧値以上であるか否かを判断する（Ｓ１２０）。
【００２４】
Ｓ１２０における判断の結果、バッテリー電圧値が第１電圧値以上の場合に、遮断回路部に電源を供給する（Ｓ１３０）。この時、Ｓ１１０ステップ〜Ｓ１３０ステップは一体に形成される電源回路部によって実行されることができる。この時、電源回路部はバッテリー及び遮断回路部の間に連結されることができる。
【００２５】
そして、遮断回路部はバッテリー電圧値が既に設定された第２電圧値以上であるか否かを判断する（Ｓ１４０）。ここで、前記第２電圧値は前記第１電圧値より高いか同じ値であってもよい。この時、遮断回路部は、Ｓ１３０ステップにより供給された電源に基づいてバッテリー電圧値をセンシングすることができる。そして、遮断回路部は、バッテリー電圧値と第２電圧値を比較する電圧比較器を含んで構成されることができる。
【００２６】
Ｓ１４０ステップにおける判断の結果、バッテリー電圧値が第２電圧値以上の場合に、前記バッテリーの充電を遮断する（Ｓ１５０）。この時、遮断回路部は、Ｓ１３０ステップで供給された電源に基づいてバッテリーの充電を遮断することができる。
【００２７】
そして、Ｓ１４０ステップ及びＳ１５０ステップは、バッテリー電圧値が第１電圧値未満の場合には実行されず、バッテリー充電時にのみ実行されることができる。
【００２８】
本発明に係る過電圧防止回路の制御方法は、様々なコンピュータ手段を介して実行されるプログラム命令の形態で実現されてコンピュータ読み取り可能媒体に記録されることができる。前記コンピュータ読み取り可能媒体は、プログラム命令、データファイル、データ構造等を単独でまたは組み合わせて含むことができる。前記媒体に記録されるプログラム命令は、本発明のために特別に設計されて構成されたもの等であるか、コンピュータソフトウェア当業者に公知の使用可能なものであってもよい。コンピュータ読み取り可能記録媒体の例には、ハードディスク、フロッピーディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、及びＲＯＭ、ＲＡＭ、フラッシュメモリ等のようなプログラム命令を格納し実行するように特別に構成された全ての形態のハードウェア装置が含まれる。プログラム命令の例としては、コンパイラによって作られるような機械語コードだけでなく、インタープリタ等を用いてコンピュータによって実行される高級言語コードを含むことができる。このようなハードウェア装置は本発明の動作を実行するために一つ以上のソフトウェアモジュールとして作動するように構成されることができ、その逆も同様である。
【００２９】
本発明の原理の教示はハードウェアとソフトウェアの組み合わせとして実現されることができる。また、ソフトウェアはプログラム格納部上で実際に実現されるアプリケーションプログラムとして実現されることができる。アプリケーションプログラムは任意の適切なアーキテクチャを含むマシーンにアップロードされてマシーンによって実行されることができる。好ましくは、マシーンは一つ以上の中央処理装置（ＣＰＵ）、コンピュータプロセッサ、ランダムアクセスメモリ（ＲＡＭ）、及び入／出力（Ｉ／Ｏ）インターフェースのようなハードウェアを有するコンピュータプラットフォーム上に実現されることができる。また、コンピュータプラットフォームはオペレーティングシステム及びマイクロ命令コードを含むことができる。ここで説明された様々なプロセス及び機能はマイクロ命令コードの一部またはアプリケーションプログラムの一部、またはこれらの任意の組み合わせであってもよく、これらはＣＰＵを含む様々な処理装置によって実行されることができる。さらに、追加データ格納部及びプリンタのような様々な他の周辺装置がコンピュータプラットフォームに接続されることができる。
【００３０】
添付図面に示された構成システムコンポーネント及び方法の一部が好ましくはソフトウェアで実現されるため、システムコンポーネントまたはプロセス機能ブロック間の実際の接続は本発明の原理がプログラミングされる方式に応じて異なりうるということがさらに理解されなければならない。ここでの教示が与えられれば、関連技術分野の当業者は本発明の原理のこれら及び類似した実現例または構成を参酌することができるであろう。
【００３１】
以上のように本発明に係る過電圧防止回路、その制御方法及びバッテリーパックは上記したように説明された実施形態の構成と方法が限定して適用されるものではなく、前記実施形態は様々な変形がなされるように各実施形態の全部または一部が選択的に組み合わせられて構成されることもできる。
【図１】
2017536794.tif 000003
【図２】
2017536794.tif 000004
【図３】
2017536794.tif 000005
【図４】
2017536794.tif 000006
【国際調査報告】
2017536794.tif 000007
2017536794.tif 000008
2017536794.tif 000009
2017536794.tif 000010